(57)【要約】【課題】情報量の多い元データを利用することができるとともに、記憶容量を効率的に使用することのできる携帯情報端末、データ管理システム、データ管理方法、及びデータ管理プログラムを提供する。【解決手段】通信網Ｎ１を介してデータ管理サーバ５０と通信可能な携帯情報端末１０であって、所定画素数を有する元データを記憶する記憶部１３と、元データと保存要求とをデータ管理サーバ５０に送信する保存要求部１７ａと、データ管理サーバ５０から元データの保存完了応答を受信したときに、元データの所定画素数を減らした縮小データを記憶部１３に記憶させるとともに、記憶された元データを記憶部から削除する記憶管理部１７ｂと、を備える。【選択図】図２
2019114863.tif 000002
【特許請求の範囲】
【請求項１】
通信網を介してデータ管理サーバと通信可能な携帯情報端末であって、
所定画素数を有する元データを記憶する記憶部と、
前記元データと保存要求とを前記データ管理サーバに送信する保存要求部と、
前記データ管理サーバから前記元データの保存完了応答を受信したときに、前記元データの前記所定画素数を減らした縮小データを前記記憶部に記憶させるとともに、記憶された前記元データを前記記憶部から削除する記憶管理部と、を備える、
携帯情報端末。
【請求項２】
前記記憶部に記憶された前記元データから前記縮小データを作成する元データ縮小部をさらに備える、
請求項１に記載の携帯情報端末。
【請求項３】
表示部をさらに備え、
前記縮小データは、前記表示部の表示画素数に基づく画素数を有する、
請求項１又は２に記載の携帯情報端末。
【請求項４】
データ管理サーバと、
通信網を介して前記データ管理サーバと通信可能な携帯情報端末と、を備え、
前記携帯情報端末は、
所定画素数を有する元データを記憶する記憶部と、
前記元データと保存要求とを前記データ管理サーバに送信する保存要求部と、
前記データ管理サーバから前記元データの保存完了応答を受信したときに、前記元データの前記所定画素数を減らした縮小データを前記記憶部に記憶させるとともに、記憶された前記元データを前記記憶部から削除する記憶管理部と、を備える、
データ管理システム。
【請求項５】
前記携帯情報端末は、前記記憶部に記憶された前記元データから前記縮小データを作成する元データ縮小部をさらに備える、
請求項４に記載のデータ管理システム。
【請求項６】
前記携帯情報端末は、前記縮小データの作成要求を前記データ管理サーバに送信する縮小データ要求部をさらに備え、
前記データ管理サーバは、
前記保存要求に基づいて前記元データを保存する元データ保存部と、
前記作成要求に基づいて、保存された前記元データから前記縮小データを作成し、作成した前記縮小データを前記作成要求の要求元に送信する縮小データ作成部と、を備える、
請求項４又は５に記載のデータ管理システム。
【請求項７】
前記作成要求は、前記縮小データの指定画素数を含み、
前記縮小データ作成部は、保存された前記元データから前記指定画素数に応じた前記縮小データを作成する、
請求項６に記載のデータ管理システム。
【請求項８】
前記データ管理サーバは、利用者識別情報に基づいて利用者を認証する認証部をさらに備え、
前記元データ保存部は、認証された前記利用者に関連付けて前記元データを保存し、
前記縮小データ作成部は、前記作成要求に含まれる前記利用者識別情報に基づいて、認証された前記利用者に関連付けられた前記元データから前記縮小データを作成する、
請求項６又は７に記載のデータ管理システム。
【請求項９】
前記携帯情報端末は、表示部をさらに備え、
前記縮小データは、前記表示部の表示画素数に基づく画素数を有する、
請求項４から８のいずれか一項に記載のデータ管理システム。
【請求項１０】
所定画素数を有する元データを携帯情報端末の記憶部に記憶させるステップと、
前記元データと保存要求とをデータ管理サーバに送信するステップと、
前記データ管理サーバから前記元データの保存完了応答を受信したときに、前記元データの前記所定画素数を減らした縮小データを前記記憶部に記憶させるとともに、記憶された前記元データを前記記憶部から削除するステップと、を含む、
データ管理方法。
【請求項１１】
前記記憶部に記憶された前記元データから前記縮小データを作成するステップをさらに含む、
請求項１０に記載のデータ管理方法。
【請求項１２】
前記縮小データの作成要求を前記データ管理サーバに送信するステップと、
前記保存要求に基づいて前記元データを前記データ管理サーバに保存するステップと、
前記作成要求に基づいて、保存された前記元データから前記縮小データを作成し、作成した前記縮小データを前記作成要求の要求元に送信するステップと、をさらに含む、
請求項１０又は１１に記載のデータ管理方法。
【請求項１３】
前記作成要求は、前記縮小データの指定画素数を含み、
前記送信するステップは、保存された前記元データから前記指定画素数に応じた前記縮小データを作成することを含む、
請求項１２に記載のデータ管理方法。
【請求項１４】
利用者識別情報に基づいて利用者を認証するステップをさらに含み、
前記保存するステップは、認証された前記利用者に関連付けて前記元データを前記データ管理サーバに保存することを含み、
前記送信するステップは、前記作成要求に含まれる前記利用者識別情報に基づいて、認証された前記利用者に関連付けられた前記元データから前記縮小データを作成することを含む、
請求項１２又は１３に記載のデータ管理方法。
【請求項１５】
前記縮小データは、前記携帯情報端末の表示部の表示画素数に基づく画素数を有する、
請求項１０から１４のいずれか一項に記載のデータ管理方法。
【請求項１６】
コンピュータに実行させるデータ管理プログラムであって、
所定画素数を有する元データを携帯情報端末の記憶部に記憶させるステップと、
前記元データと保存要求とをデータ管理サーバに送信するステップと、
前記データ管理サーバから前記元データの保存完了応答を受信したときに、前記元データの前記所定画素数を減らした縮小データを前記記憶部に記憶させるとともに、記憶された前記元データを前記記憶部から削除するステップと、を含む、
データ管理プログラム。
【発明の詳細な説明】
【技術分野】
【０００１】
本発明は、携帯情報端末、データ管理システム、データ管理方法、及びデータ管理プログラムに関する。
【背景技術】
【０００２】
従来、この種のデータ管理システムとして、例えば、画像データ、テキストデータ、音声データ等のコンテンツデータと、コンテンツデータに関連付けられ、例えば、コンテンツデータの縮小画像等のメタデータとを含むネットワークデータを提供するネットワークサービスサーバと、ネットワークサービスサーバからネットワークデータを所定の時間間隔毎に収集する情報処理装置と、を備えたものが知られている（特許文献１参照）。
【先行技術文献】
【特許文献】
【０００３】
【特許文献１】特開２０１３−１１７８６９号公報
【発明の概要】
【発明が解決しようとする課題】
【０００４】
ところで、携帯情報端末は、通常、データを表示可能な表示部を備えているが、表示部の画素数は、例えば、画像データや動画（映像）データが有する画素数と比較して、少ないことがあった。そのため、携帯情報端末では、画像データや動画データの情報量を十分に活用できていないことが多かった。
【０００５】
また、携帯情報端末は、その記憶容量が限定されていることがあり、情報量とともにデータ量の多いこれらの画像データや動画データ（以下、「元データ」という）をそのまま記憶すると、限られた記憶容量を効率的に使用できなかった。
【０００６】
そこで、本発明は、情報量の多い元データを利用することができるとともに、記憶容量を効率的に使用することのできる携帯情報端末、データ管理システム、データ管理方法、及びデータ管理プログラムを提供することを目的とする。
【課題を解決するための手段】
【０００７】
本発明の一態様に係る携帯情報端末は、通信網を介してデータ管理サーバと通信可能な携帯情報端末であって、所定画素数を有する元データを記憶する記憶部と、元データと保存要求とをデータ管理サーバに送信する保存要求部と、データ管理サーバから元データの保存完了応答を受信したときに、元データの所定画素数を減らした縮小データを記憶部に記憶させるとともに、記憶された元データを記憶部から削除する記憶管理部と、を備える。
【０００８】
この態様によれば、元データと保存要求とがデータ管理サーバに送信される。これにより、情報量の多い元データをデータ管理サーバに保存することができる。また、データ管理サーバから元データの保存完了応答を受信したときに、元データの所定画素数を減らした縮小データが記憶部に記憶されるとともに、記憶された元データが記憶部から削除される。これにより、表示部に表示可能な情報量を維持しつつ、元データを記憶部に記憶する場合と比較して、使用される記憶部の記憶容量を低減することができる。従って、情報量の多い元データを利用することができるとともに、限られた記憶容量を効率的に使用することができる。
【０００９】
前述の態様において、記憶部に記憶された元データから縮小データを作成する元データ縮小部をさらに備えてもよい。
【００１０】
前述の態様において、表示部をさらに備え、縮小データは、表示部の表示画素数に基づく画素数を有してもよい。
【００１１】
本発明の他の態様に係るデータ管理システムは、データ管理サーバと、通信網を介してデータ管理サーバと通信可能な携帯情報端末と、を備え、携帯情報端末は、所定画素数を有する元データを記憶する記憶部と、元データと保存要求とをデータ管理サーバに送信する保存要求部と、データ管理サーバから元データの保存完了応答を受信したときに、元データの所定画素数を減らした縮小データを記憶部に記憶させるとともに、記憶された前記元データを記憶部から削除する記憶管理部と、を備える。
【００１２】
この態様によれば、元データと保存要求とがデータ管理サーバに送信される。これにより、情報量の多い元データをデータ管理サーバに保存することができる。また、データ管理サーバから元データの保存完了応答を受信したときに、元データの所定画素数を減らした縮小データが記憶部に記憶されるとともに、記憶された元データが記憶部から削除される。これにより、表示部に表示可能な情報量を維持しつつ、元データを記憶部に記憶する場合と比較して、使用される記憶部の記憶容量を低減することができる。従って、情報量の多い元データを利用することができるとともに、限られた記憶容量を効率的に使用することができる。
【００１３】
前述の態様において、携帯情報端末は、記憶部に記憶された元データから縮小データを作成する元データ縮小部をさらに備えてもよい。
【００１４】
前述の態様において、携帯情報端末は、縮小データの作成要求をデータ管理サーバに送信する縮小データ要求部をさらに備え、データ管理サーバは、保存要求に基づいて前記元データを保存する元データ保存部と、作成要求に基づいて、保存された元データから縮小データを作成し、作成した縮小データを作成要求の要求元に送信する縮小データ作成部と、を備えてもよい。
【００１５】
前述の態様において、作成要求は、縮小データの指定画素数を含み、縮小データ作成部は、保存された元データから指定画素数に応じた縮小データを作成してもよい。
【００１６】
前述の態様において、データ管理サーバは、利用者識別情報に基づいて利用者を認証する認証部をさらに備え、元データ保存部は、認証された利用者に関連付けて元データを保存し、縮小データ作成部は、作成要求に含まれる利用者識別情報に基づいて、認証された利用者に関連付けられた元データから縮小データを作成してもよい。
【００１７】
前述の態様において、携帯情報端末は、表示部をさらに備え、縮小データは、表示部の表示画素数に基づく画素数を有してもよい。
【００１８】
本発明の他の態様に係るデータ管理方法は、所定画素数を有する元データを携帯情報端末の記憶部に記憶させるステップと、元データと保存要求とをデータ管理サーバに送信するステップと、データ管理サーバから元データの保存完了応答を受信したときに、元データの所定画素数を減らした縮小データを記憶部に記憶させるとともに、記憶された元データを記憶部から削除するステップと、を含む。
【００１９】
この態様によれば、元データと保存要求とがデータ管理サーバに送信される。これにより、情報量の多い元データをデータ管理サーバに保存することができる。また、データ管理サーバから元データの保存完了応答を受信したときに、元データの所定画素数を減らした縮小データが記憶部に記憶されるとともに、記憶された元データが記憶部から削除される。これにより、表示部に表示可能な情報量を維持しつつ、元データを記憶部に記憶する場合と比較して、使用される記憶部の記憶容量を低減することができる。従って、情報量の多い元データを利用することができるとともに、限られた記憶容量を効率的に使用することができる。
【００２０】
前述の態様において、記憶部に記憶された元データから縮小データを作成するステップをさらに含んでもよい。
【００２１】
前述の態様において、縮小データの作成要求をデータ管理サーバに送信するステップと、保存要求に基づいて元データをデータ管理サーバに保存するステップと、作成要求に基づいて、保存された元データから縮小データを作成し、作成した縮小データを作成要求の要求元に送信するステップと、をさらに含んでもよい。
【００２２】
前述の態様において、作成要求は、縮小データの指定画素数を含み、送信するステップは、保存された元データから指定画素数に応じた縮小データを作成することを含んでもよい。
【００２３】
前述の態様において、利用者識別情報に基づいて利用者を認証するステップをさらに含み、保存するステップは、認証された利用者に関連付けて元データをデータ管理サーバに保存することを含み、送信するステップは、作成要求に含まれる利用者識別情報に基づいて、認証された利用者に関連付けられた元データから縮小データを作成することを含んでもよい。
【００２４】
前述の態様において、縮小データは、携帯情報端末の表示部の表示画素数に基づく画素数を有してもよい。
【００２５】
本発明の他の態様に係るデータ管理プログラムは、コンピュータに実行させるデータ管理プログラムであって、所定画素数を有する元データを携帯情報端末の記憶部に記憶させるステップと、元データと保存要求とをデータ管理サーバに送信するステップと、データ管理サーバから元データの保存完了応答を受信したときに、元データの所定画素数を減らした縮小データを記憶部に記憶させるとともに、記憶された元データを記憶部から削除するステップと、を含む。
【００２６】
この態様によれば、元データと保存要求とがデータ管理サーバに送信される。これにより、情報量の多い元データをデータ管理サーバに保存することができる。また、データ管理サーバから元データの保存完了応答を受信したときに、元データの所定画素数を減らした縮小データが記憶部に記憶されるとともに、記憶された元データが記憶部から削除される。これにより、表示部に表示可能な情報量を維持しつつ、元データを記憶部に記憶する場合と比較して、使用される記憶部の記憶容量を低減することができる。従って、情報量の多い元データを利用することができるとともに、限られた記憶容量を効率的に使用することができる。
【発明の効果】
【００２７】
本発明によれば、情報量の多い元データを利用することができるとともに、記憶容量を効率的に使用することのできる携帯情報端末、データ管理システム、データ管理方法、及びデータ管理プログラムを提供することができる。
【図面の簡単な説明】
【００２８】
【図１】第１実施形態に従う輸送手段管理システムの概略構成の一例を説明するための構成図である。
【図２】図２は、第１実施形態に従う携帯情報端末の概略構成の一例を説明するためのブロック図である。
【図３】図３は、図１に示したデータ管理サーバの概略構成の一例を説明するためのブロック図である。
【図４】図４は、図１に示した携帯情報端末の元データ保存の動作の一例を説明するためのフローチャートである。
【図５】図５は、図１に示したデータ管理サーバの元データ保存の動作の一例を説明するためのフローチャートである。
【図６】図６は、図１に示した携帯情報端末及びデータ管理サーバの縮小データ作成の動作の一例を説明するためのフローチャートである。
【図７】図７は、図１に示した携帯情報端末及びデータ管理サーバの縮小データ作成の動作の他の例を説明するための構成図である。
【発明を実施するための形態】
【００２９】
以下に本発明の実施形態を説明する。以下の図面の記載において、同一または類似の部分には同一または類似の符号で表している。但し、図面は模式的なものである。したがって、具体的な寸法などは以下の説明を照らし合わせて判断するべきものである。また、図面相互間においても互いの寸法の関係や比率が異なる部分が含まれていることは勿論である。さらに、本発明の技術的範囲は、当該実施形態に限定して解するべきではない。
【００３０】
図１から図７は、本発明の一実施形態に係る携帯情報端末、データ管理システム、データ管理方法、及びデータ管理プログラムを示すためのものである。図１は、第１実施形態に従うデータ管理システム１００の概略構成の一例を説明するための構成図である。図１に示すように、データ管理システム１００は、携帯情報端末１０と、データ管理サーバ５０と、を備える。
【００３１】
携帯情報端末１０は、例えば、スマートフォン、携帯電話機、個人情報端末（ＰＤＡ）、タブレット端末、携帯ゲーム機、携帯音楽プレーヤ、ウェアラブル端末等の携帯型情報通信機器である。携帯情報端末１０は、通信網Ｎ１を介して、データ管理サーバ５０との間でデータを送受信可能、つまり、通信可能に構成されている。
【００３２】
図２は、第１実施形態に従う携帯情報端末１０の構成の一例を説明するためのブロック図である。図２に示すように、携帯情報端末１０は、例えば、アンテナ１１ａ，１１ｂと、通信部１２と、記憶部１３と、操作部１４と、カメラ部１５と、表示部１６と、制御部１７と、電源部１８と、を備える。また、携帯情報端末１０は、携帯情報端末１０の各部の間で信号やデータを伝送するように構成されたバス１９をさらに備える。
【００３３】
アンテナ１１ａは、例えば、２８［ＧＨｚ］帯、４．５［ＧＨｚ］帯、４［ＧＨｚ］帯、２．５［ＧＨｚ］帯、２．１［ＧＨｚ］帯、９００［ＭＨｚ］帯等の周波数帯で、電波（電磁波）を放射（輻射）及び受波できるように構成されている。アンテナ１１ｂは、例えば５［ＧＨｚ］帯、２．４［ＧＨｚ］帯等の周波数帯で、電波（電磁波）を放射（輻射）及び受波できるように構成されている。
【００３４】
通信部１２は、アンテナ１１ａ及びアンテナ１１ｂに接続されている。通信部１２は、アンテナ１１ａを用いて、例えば、３Ｇ（３ｒｄ  Ｇｅｎｅｒａｔｉｏｎ）、ＬＴＥ（Ｌｏｎｇ  Ｔｅｒｍ  Ｅｖｏｌｕｔｉｏｎ）、４Ｇ（４ｔｈ  Ｇｅｎｅｒａｔｉｏｎ）、５Ｇ（５ｔｈ  Ｇｅｎｅｒａｔｉｏｎ）等の移動体通信方式に基づいて、通信を行うように構成されている。また、通信部１２は、アンテナ１１ｂを用いて、例えば、Ｗｉ−Ｆｉ（Ｗｉｒｅｌｅｓｓ  Ｆｉｄｅｌｉｔｙ）等の規格に従う無線ＬＡＮ（Ｌｏｃａｌ  Ａｒｅａ  Ｎｅｔｗｏｒｋ）等の無線通信方式に基づいて、通信を行うように構成されている。
【００３５】
記憶部１３は、プログラムやデータ等を記憶するように構成されている。記憶部１３は、制御部１７が実行する各種プログラムや、プログラムの実行に必要なデータ等をあらかじめ記憶している。また、記憶部１３は、利用者識別情報を記憶している。利用者識別情報は、例えば、データ管理システム１００のＩＤ（識別子）、パスワード等の情報を含んでいる。さらに、記憶部１３は、例えば後述するカメラ部１５によって作成される、所定画素数を有する画像ファイル又は動画ファイルを記憶する。なお、記憶部１３に記憶される画像ファイル又は動画ファイルは、カメラ部１５が作成する場合に限定されるものではない。記憶部１３は、カメラ部１５によって作成される画像ファイル又は動画ファイルに加えて、例えば、メールによって受信した画像又は動画、インターネットからダウンロードした画像又は動画、ＳＤカード等の外部メモリから読みこんだ画像又は動画のファイルを記憶してもよい。
【００３６】
操作部１４は、利用者（ユーザ）の操作により情報を入力できるように構成されている。操作部１４は、例えば、タッチパネル、ボタン、キーボード、キーパッド、マイク等を含んで構成することが可能である。この例の場合、利用者が、タッチパネル、ボタン、キーボード、キーパッド、マイク等を操作（マイクを用いた音声操作を含む）したときに、例えば制御部１７が、操作に対応するデータを生成することで、携帯情報端末１０に情報を入力することが可能になる。
【００３７】
カメラ部１５は、画像（静止画像）及び動画（映像）を撮影してデータとして記録するように構成されている。カメラ部１５は、例えば、レンズ等の光学系部品と、撮像素子（受光素子）等の電子系部品とを含んで構成することが可能である。なお、光学系部品は、複数のレンズを備えていてもよい。また、電子系部品は、フラッシュ等の発光装置を備えていてもよい。さらに、カメラ部１５は、例えば、携帯情報端末１０の一方の面に設けられたインカメラと、他方の面に設けられたアウトカメラのように、複数のカメラで構成されていてもよいし、Ｗｉ−Ｆｉ等の無線通信やＵＳＢ等の有線ケーブルによって接続されたカメラを含んでもよい。
【００３８】
カメラ部１５は、記録した画像又は動画のファイル（以下、それぞれ「画像ファイル」、「動画ファイル」という）を作成し、記憶部１３に記憶させる。画像ファイルは、画像そのもののデータに加え、当該画像のメタデータを含んでいる。同様に、動画データは、動画そのもののデータに加え、当該動画のメタデータを含んでいる。メタデータは、例えば、ファイル名、撮影日時、圧縮方式、横×縦の画素数（画像サイズ）、データ量、サムネイル画像等のデータを含む。
【００３９】
カメラ部１５は、例えば、約５００万画素（ピクセル）の撮像素子を含む。カメラ部１５は、横×縦のアスペクト比が４：３である場合、例えば、最大で２５６０×１９２０画素の画像ファイル又は動画ファイルを作成することが可能である。階調ビット数は、例えば、赤、青、緑の色ごとに８ビットであり、合計２４ビットである。また、画像ファイルは、例えばＪＰＥＧ等の所定の圧縮方式で圧縮され、動画ファイルは、例えばＭＰＥＧ−４等の所定の圧縮方式で圧縮されている。
【００４０】
以下において、明記する場合を除き、本発明の「元データ」の一例として画像ファイルを用い、本発明の「縮小データ」の一例として縮小画像ファイルを用いて説明する。
【００４１】
表示部１６は、情報を出力するように構成されている。表示部１６は、例えば、液晶ディスプレイ、ＥＬ(Ｅｌｅｃｔｒｏ  Ｌｕｍｉｎｅｓｃｅｎｃｅ)ディスプレイ、プラズマディスプレイ等の表示装置を含んで構成することが可能である。この例の場合、表示部１６は、画像データや映像データを表示装置に表示することで、情報を出力することが可能になる。
【００４２】
表示部１６は、例えば、横×縦のアスペクト比が４：３の画面を有し、その大きさは、約３インチである。また、表示部１６は、例えば、その表示画素数が７６８００（横３２０×縦２４０）画素（ピクセル）である。
【００４３】
制御部１７は、通信部１２、記憶部１３、操作部１４、カメラ部１５、及び表示部１６等、携帯情報端末１０の各部の動作を制御するように構成されている。制御部１７は、例えば、ＣＰＵ(Ｃｅｎｔｒａｌ  Ｐｒｏｃｅｓｓｉｎｇ  Ｕｎｉｔ)等のプロセッサ、ＲＯＭ(Ｒｅａｄ  Ｏｎｌｙ  Ｍｅｍｏｒｙ)、ＲＡＭ(Ｒａｎｄｏｍ  Ａｃｃｅｓｓ  Ｍｅｍｏｒｙ)等のメモリ、及びバッファ等の緩衝記憶装置を含んで構成することが可能である。制御部１７は、その機能構成として、例えば、保存要求部１７ａと、記憶管理部１７ｂと、元データ縮小部１７ｃと、表示要求部１７ｄと、縮小データ要求部１７ｅと、を備える。
【００４４】
保存要求部１７ａは、画像ファイルの保存要求をデータ管理サーバ５０に送信するように構成されている。これにより、情報量の多い画像ファイルをデータ管理サーバ５０に保存することができる。
【００４５】
保存要求部１７ａは、記憶部１３に記憶された利用者識別情報を読み出し、当該利用者識別情報を含む保存要求を作成する。前述したように、利用者識別情報は、データ管理システム１００の利用者のＩＤ及びパスワードを含んでいる。
【００４６】
なお、保存要求部１７ａが作成する保存要求は、１つの画像ファイルの保存を要求するものに限定されない。保存要求の対象は、複数の画像ファイルであってもよいし、複数の画像ファイル及び動画ファイル、すなわち、画像ファイルと動画ファイルとの組合せであってもよい。
【００４７】
記憶管理部１７ｂは、データ管理サーバ５０から保存完了応答を受信したときに、後述する縮小画像ファイルを記憶部１３に記憶させるとともに、記憶された画像ファイルを記憶部１３から削除するように構成されている。これにより、表示部１６に表示可能な情報量を維持しつつ、画像ファイルを記憶部１３に記憶する場合と比較して、記憶部１３の記憶容量を節約することができる。
【００４８】
縮小画像ファイルは、保存要求の対象となった画像ファイルの画素数を減らしたものである。縮小画像ファイルは、基となる画像ファイルから画素数が減っていればよく、さらに情報量が少ないファイル形式に変換してもよい。縮小動画ファイルは、保存要求の対象となった動画ファイルの画素数を減らしたものである。縮小動画ファイルは、基となる動画ファイルから画素数が減っていればよく、さらに情報量が少ないファイル形式に変換してもよいし、フレームレートを少なくしてもよい。記憶管理部１７ｂが記憶部１３から削除する画像ファイルは、保存要求の対象となった画像ファイルであって、データ管理サーバ５０から保存完了応答を受信したものである。
【００４９】
記憶管理部１７ｂは、さらに、記憶部１３に記憶された画像ファイルのうち、情報量の多い画像ファイルを選択して表示部１６に表示するように構成されている。
【００５０】
元データ縮小部１７ｃは、記憶部１３に記憶された画像ファイルから縮小画像ファイルを作成するように構成されている。これにより、データ管理サーバ５０が縮小画像ファイルを作成して携帯情報端末１０に送信する場合と比較して、データ管理サーバ５０と携帯情報端末１０との間の通信量を減少させることができる。
【００５１】
元データ縮小部１７ｃが作成する縮小画像ファイルは、表示部１６の表示画素数に基づく画素数を有する。これにより、画像ファイルの情報量を有効に利用することができる。
【００５２】
なお、元データ縮小部１７ｃが作成する縮小画像ファイルは、表示部１６の表示画素数に基づく画素数を有する場合に限定されるものではない。元データ縮小部１７ｃは、例えば利用者によって設定された画素数を有する縮小画像ファイルを作成してもよい。
【００５３】
元データ縮小部１７ｃは、例えば、表示部１６の表示画素数と一致した７６８００（横３２０×縦２４０）画素の縮小画像ファイルを作成する。縮小画像ファイル又は縮小動画ファイルは、画像ファイル又は動画ファイルと同様に、メタデータを含んでいてもよい。
【００５４】
表示要求部１７ｄは、保存された画像ファイルの表示要求をデータ管理サーバ５０に送信するように構成されている。表示要求部１７ｄは、記憶部１３に記憶された利用者識別情報を読み出し、当該利用者識別情報を含む表示要求を作成する。前述したように、利用者識別情報は、データ管理システム１００の利用者のＩＤ及びパスワードを含んでいる。
【００５５】
縮小データ要求部１７ｅは、縮小画像ファイルの作成要求をデータ管理サーバ５０に送信するように構成されている。保存要求部１７ａは、表示部１６の表示画素数に基づく作成仕様を含めて保存要求を作成する。
【００５６】
作成仕様は、縮小画像ファイルの指定画素数が含まれており、指定画素数に従う縮小画像ファイルが作成される。指定画素数は、例えば、表示部１６の表示画素数と一致した７６８００（横３２０×縦２４０）画素である。また、作成要求は、元となる画像ファイルのファイル名や、最大データ量等の情報を含んでいる。なお、作成仕様は、表示部１６の表示画素数に基づく場合に限定されるものでなく、指定画素数として利用者によって設定された画素数を含んでいてもよい。
【００５７】
また、作成要求の対象となる縮小画像ファイルは、データ管理サーバ５０に保存され、作成の元となる画像ファイルを、利用者が選択することによって指定される。
【００５８】
制御部１７の各機能は、コンピュータ（マイクロプロセッサ）で実行されるプログラムによって実現することが可能である。したがって、制御部１７が備える各機能は、ハードウェア、ソフトウェア、若しくはハードウェア及びソフトウェアの組み合わせによって実現可能であり、いずれかの場合に限定されるものではない。
【００５９】
また、制御部１７の各機能が、ソフトウェア、若しくはハードウェア及びソフトウェアの組み合わせによって実現される場合、その処理は、マルチタスク、マルチスレッド、若しくはマルチタスク及びマルチスレッドの両方で実行可能であり、いずれかの場合に限定されるものではない。
【００６０】
電源部１８は、通信部１２、記憶部１３、操作部１４、カメラ部１５、表示部１６、及び制御部１７等、携帯情報端末１０の各部に電力を供給するように構成されている。電源部１８は、例えば、二次電池（充電式電池）を含んで構成することが可能である。
【００６１】
本実施形態では、携帯情報端末１０の構成として図２に示す例を示したが、これに限定されるものではない。携帯情報端末は、例えば、ＧＰＳ（Ｇｌｏｂａｌ  Ｐｏｓｉｔｉｏｎｉｎｇ  Ｓｙｓｔｅｍ）受信機、方位センサ、重力センサ、温度センサ、加速度センサ等の各種のセンサ、指紋、網膜、虹彩、顔、声紋等の各種の生体認証機能、マイク、スピーカ、ライト等の各種のデバイス、接続端子を含む入出力インターフェース等のうち、少なくとも１つをさらに備えていてもよい。
【００６２】
図３は、図１に示したデータ管理サーバ５０の概略構成の一例を説明するためのブロック図である。図３に示すように、データ管理サーバ５０は、例えば、通信部５１と、記憶部５２と、制御部５３と、を備える。また、データ管理サーバ５０は、データ管理サーバ５０の各部の間で信号やデータを伝送するように構成されたバス５４をさらに備える。
【００６３】
通信部５１は、データを送受信（通信）するためのものである。通信部５１は、１つ又は複数の所定の通信方式に基づいて、通信網Ｎ１を介して携帯情報端末１０と通信可能に構成されている。
【００６４】
記憶部５２は、プログラムやデータ等を記憶するように構成されている。記憶部５２は、制御部５３が実行する各種プログラムや、プログラムの実行に必要なデータ等をあらかじめ記憶している。
【００６５】
また、記憶部５２は、利用者認証テーブル５２ａをあらかじめ記憶している。利用者認証テーブル５２ａは、データ管理システム１００の利用者（ユーザ）を認証するためのデータである。利用者認証テーブル５２ａは、例えば、データ管理システム１００の利用者毎に、当該利用者に付与された一意の利用者ＩＤ（利用者識別子）と当該利用者が設定したパスワードとの組が、１レコードとして格納されている。
【００６６】
さらに、後述するように、記憶部５２には、保存要求とともに送信される画像ファイルが記憶される。
【００６７】
制御部５３は、通信部５１及び記憶部５２等、データ管理サーバ５０の各部の動作を制御するように構成されている。制御部５３は、例えば、ＣＰＵ等のプロセッサ、ＲＯＭやＲＡＭ等のメモリ、及びバッファ等の緩衝記憶装置等を含んで構成することが可能である。制御部５３は、その機能構成として、例えば、認証部５３ａと、元データ保存部５３ｂと、元データ表示部５３ｃと、縮小データ作成部５３ｄと、を備える。
【００６８】
認証部５３ａは、保存要求又は作成要求に含まれる利用者識別情報に基づいてデータ管理システム１００の利用者を識別するように構成されている。認証部５３ａは、例えば、利用者識別情報のＩＤ及びパスワードに基づいて記憶部５２に記憶された利用者認証テーブル５２ａを検索し、当該ＩＤ及びパスワードに一致するレコードがあるか否かを判定する。
【００６９】
元データ保存部５３ｂは、保存要求に基づいて、画像ファイルを保存するように構成されている。また、元データ保存部５３ｂは、保存要求に含まれる利用者識別情報に関連付けて画像ファイルを保存するように構成されている。元データ保存部５３ｂは、例えば、利用者識別情報のＩＤに関連付けて、保存要求の対象となる画像ファイルを記憶部５２に記憶して保存する。
【００７０】
元データ表示部５３ｃは、表示要求に含まれる利用者識別情報のＩＤに関連付けられた全ての画像ファイルの一部の情報を、表示要求の要求元に送信するように構成されている。送信する一部の情報は、例えば、各画像ファイルのメタデータである。あるいは、送信する一部の情報は、各画像ファイルのファイル名のみであってもよい。
【００７１】
縮小データ作成部５３ｄは、作成要求に基づいて、縮小画像ファイルを作成し、作成した縮小画像ファイルを作成要求の要求元に送信するように構成されている。これにより、携帯情報端末１０の記憶部１３に記憶された縮小画像ファイルを消失した場合でも、記憶部１３に縮小画像ファイルを復元することができる。
【００７２】
縮小データ作成部５３ｄは、記憶部５２に記憶され、保存された画像ファイルから縮小画像ファイルを作成する。また、縮小データ作成部５３ｄは、作成要求に含まれる指定画素数に応じた縮小画像ファイルを作成する。
【００７３】
本実施形態では、データ管理サーバ５０が１つのサーバで構成される例を示したが、これに限定されるものではない。データ管理サーバは、例えば、機能分散や負荷分散の観点から、複数のサーバから構成されていてもよい。
【００７４】
また、本実施形態では、データ管理サーバ５０が縮小データを作成要求の要求元である携帯情報端末１０に送信する例を示したが、これに加えて、データ管理サーバ５０は、元データを携帯情報端末１０に送信してもよい。この場合、携帯情報端末１０は、例えば記憶部１３に記憶された利用者識別情報のＩＤに関連付けられた全ての画像ファイルを要求する送信要求をデータ管理サーバ５０に送信し、データ管理サーバ５０は当該全ての画像ファイルを送信要求の要求元に送信するようにしてもよい。
【００７５】
次に、図４から図７を参照しつつ、本実施形態に従うデータ管理システム１００の概略動作について説明する。
【００７６】
図４は、図１に示した携帯情報端末１０の元データ保存の動作の一例を説明するためのフローチャートである。図５は、図１に示したデータ管理サーバ５０の元データ保存の動作の一例を説明するためのフローチャートである。図６は、図１に示した携帯情報端末１０及びデータ管理サーバ５０の縮小データ作成の動作の一例を説明するためのフローチャートである。
【００７７】
例えば、携帯情報端末１０の操作部１４への利用者（ユーザ）の操作によって、カメラ部１５が画像を撮影して画像ファイルが記憶部１３に記憶されると、図４に示す保存要求処理Ｓ２１０を実行する。
【００７８】
＜保存要求処理＞
最初に、保存要求部１７ａは、記憶部１３に記憶された画像ファイルと利用者識別情報とを読み出し、当該画像ファイルと当該画像ファイルの保存要求とを、通信網Ｎ１を介してデータ管理サーバ５０に送信する（Ｓ２１１）。なお、保存要求に含まれる利用者のＩＤ及びパスワードは、例えば、画像ファイルと保存要求とを送信する際に、利用者が操作部１４を操作してＩＤ及びパスワードを入力するようにしてもよい。
【００７９】
次に、記憶管理部１７ｂは、データ管理サーバ５０から保存完了応答を受信したか否かを判定する（Ｓ２１２）。記憶管理部１７ｂは、画像ファイルの保存完了応答を受信するまで、ステップＳ２１２を繰り返す。あるいは、ステップＳ２１１の送信から所定時間経過しても保存完了応答を受信しない場合に、ステップＳ２１１に戻り、保存要求部１７ａが画像ファイルと保存要求とをデータ管理サーバ５０に再度送信するようにしてもよい。
【００８０】
ステップＳ２１２の判定の結果、画像ファイルの保存完了応答を受信した場合、元データ縮小部１７ｃは、記憶部１３に記憶された画像ファイルを読み出し、当該画像ファイルの画素数を減らして縮小画像ファイルを作成する（Ｓ２１３）。
【００８１】
次に、記憶管理部１７ｂは、ステップＳ２１３で作成された縮小画像ファイルを記憶部１３に記憶させるとともに、記憶されていた画像ファイルを記憶部１３から削除する（Ｓ２１４）。
【００８２】
ステップＳ２１４の後、携帯情報端末１０は保存要求処理Ｓ２１０を終了する。
【００８３】
一方、データ管理サーバ５０は、例えば、通信網Ｎ１を介して画像ファイルの保存要求を受信すると、図５に示す保存応答処理Ｓ２２０を実行する。
【００８４】
＜保存応答処理＞
最初に、認証部５３ａは、受信した保存要求に含まれる利用者識別情報に基づいて、データ管理システム１００の利用者からの保存要求か否かを判定する（Ｓ２２１）。
【００８５】
ステップＳ２２１の判定の結果、データ管理システム１００の利用者からの保存要求である場合、元データ保存部５３ｂは、保存要求とともに受信した画像ファイルを、記憶部５２に記憶させて保存する（Ｓ２２２）。このとき、当該画像ファイルは、保存要求に含まれる利用者識別情報のＩＤと関連付けて保存される。これにより、利用者のＩＤに関連付けられた複数の画像ファイルに対し、まとめて表示、移動、削除等の処理を行うことができる。
【００８６】
ステップＳ２２２の後、元データ保存部５３ｂは、保存要求の要求元である携帯情報端末１０に、通信網Ｎ１を介して画像ファイルの保存完了応答を送信する（Ｓ２２３）。
【００８７】
一方、ステップＳ２２１の判定の結果、データ管理システム１００の利用者からの保存要求でない場合、認証部５３ａは、保存要求の要求元である携帯情報端末１０に、通信網Ｎ１を介して認証エラー応答を送信する（Ｓ２２４）。
【００８８】
ステップＳ２２３の後、又は、ステップＳ２２４の後、データ管理サーバ５０は保存応答処理Ｓ２２０を終了する。
【００８９】
ここで、携帯情報端末１０の記憶部１３に記憶された縮小画像ファイル及び縮小動画ファイルは、例えば、利用者の過誤によって、又は、携帯情報端末１０の故障によって、消失することがある。この場合、利用者が携帯情報端末１０の操作部１４に所定の操作を行うことで、携帯情報端末１０及びデータ管理サーバ５０は、図６に示す縮小データ作成処理Ｓ２３０を実行する。
【００９０】
＜縮小データ作成処理＞
最初に、携帯情報端末１０の表示要求部１７ｄは、記憶部１３に記憶された利用者識別情報を読み出し、利用者のＩＤに関連付けられた全ての画像ファイルの表示要求を、通信網Ｎ１を介してデータ管理サーバ５０に送信する（Ｓ２３１）。なお、表示要求に含まれる利用者のＩＤ及びパスワードは、例えば、表示要求を送信する際に、利用者が操作部１４を操作してＩＤ及びパスワードを入力するようにしてもよい。
【００９１】
携帯情報端末１０から表示要求を受信すると、データ管理サーバ５０の認証部５３ａは、受信した表示要求に含まれる利用者識別情報に基づいて、データ管理システム１００の利用者からの表示要求か否かを判定する（Ｓ２３２）。
【００９２】
ステップＳ２３２の判定の結果、データ管理システム１００の利用者からの表示要求である場合、データ管理サーバ５０の元データ表示部５３ｃは、表示要求に含まれる利用者識別情報のＩＤに関連付けられた全ての画像ファイルについて、それぞれのメタデータを記憶部５２から読み出し、表示要求の送信元である携帯情報端末１０に、通信網Ｎ１を介して利用者識別情報のＩＤに関連付けられた全ての画像ファイルのメタデータを送信する（Ｓ２３３）。
【００９３】
データ管理サーバ５０から画像ファイルのメタデータを受信すると、携帯情報端末１０の表示要求部１７ｄは、利用者識別情報のＩＤに関連付けられた全ての画像ファイルのメタデータを表示部１６に表示させる（Ｓ２３４）。このとき、利用者は表示部１６に表示されたメタデータの情報を見て操作部１４を操作することによって、要求対象の元となる画像ファイルを選択する。全ての縮小画像ファイルを復元する場合、全ての画像ファイルを選択する。
【００９４】
利用者によって画像ファイルが選択されると、携帯情報端末１０の縮小データ要求部１７ｅは、選択された画像ファイルの縮小画像ファイルの作成要求を、通信網Ｎ１を介してデータ管理サーバ５０に送信する（Ｓ２３５）。
【００９５】
携帯情報端末１０から縮小画像ファイルの作成要求を受信すると、データ管理サーバ５０の縮小データ作成部５３ｄは、作成要求に含まれる各画像ファイルのファイル名に基づいて、記憶部５２から各画像ファイルを読み出し、各画像ファイルの縮小画像ファイルを作成する（Ｓ２３６）。このように、表示要求に含まれる利用者識別情報の利用者のＩＤに関連付けられた画像ファイルから縮小画像ファイルを作成することにより、当該利用者が保存した画像ファイルの縮小画像ファイルを一括して作成することができる。
【００９６】
ステップＳ２３６の後、データ管理サーバ５０の縮小データ作成部５３ｄは、作成要求の要求元である携帯情報端末１０に、通信網Ｎ１を介して作成した各縮小画像ファイルを送信する（Ｓ２３７）。
【００９７】
データ管理サーバ５０から各縮小画像ファイルを受信すると、携帯情報端末１０の縮小データ要求部１７ｅは、各縮小画像ファイルを記憶部１３に記憶させる（Ｓ２３８）。
【００９８】
一方、ステップＳ２３２の判定の結果、データ管理システム１００の利用者からの表示要求でない場合、データ管理サーバ５０の認証部５３ａは、表示要求の送信元である携帯情報端末１０に、通信網Ｎ１を介して認証エラー応答を送信する（Ｓ２３９）。
【００９９】
ステップＳ２３８の後、又は、ステップＳ２３９の後、携帯情報端末１０及びデータ管理サーバ５０は縮小データ作成処理Ｓ２３０を終了する。
【０１００】
本実施形態では、携帯情報端末１０の記憶部１３に記憶されていた縮小画像ファイルを同じ携帯情報端末１０に復元する例を用いて縮小データ作成処理Ｓ２３０を説明したが、これに限定されるものではない。
【０１０１】
図７は、図１に示した携帯情報端末１０及びデータ管理サーバ５０の縮小データ作成の動作の他の例を説明するための構成図である。図７に示すように、携帯情報端末１０Ａは、画像ファイルの保存要求を、通信網Ｎ１を介してデータ管理サーバ５０に送信する。一方、携帯情報端末１０Ｂは、縮小画像ファイルの作成要求を、通信網Ｎ１を介してデータ管理サーバ５０に送信する。
【０１０２】
ここで、携帯情報端末１０Ｂの作成要求に含まれる利用者識別情報が、携帯情報端末１０Ａの保存要求に含まれる利用者識別情報と同一である場合、より具体的には、利用者のＩＤ及びパスワードが一致する場合、携帯情報端末１０Ａがデータ管理サーバ５０に保存した画像ファイルから縮小画像ファイルが作成され、携帯情報端末１０Ｂの記憶部１３に記憶される。
【０１０３】
このように、縮小画像ファイルの作成要求は、元となる画像ファイルを保存した携帯情報端末１０Ａ以外、つまり、携帯情報端末１０Ｂから送信されてもよい。これにより、例えば、携帯情報端末１０Ａの利用者が、新しい携帯情報端末に買い替えたり、新しい携帯情報端末を追加したりする場合や、あるいは、利用者以外の者が所有する携帯情報端末を使用する場合に、当該携帯情報端末に縮小画像ファイルを移行させることができる。
【０１０４】
また、このとき、作成要求の作成仕様は、指定画素数を含み、当該指定画素数に応じた縮小画像ファイルが作成される。これにより、画像ファイルの保存要求を行った携帯情報端末１０Ａとは異なる携帯情報端末１０Ｂが備える表示部の表示画素数に合わせて、異なる画素数を有する縮小画像ファイルを移行させることができる。
【０１０５】
なお、携帯情報端末１０Ｂが作成要求をデータ管理サーバ５０に送信する場合、縮小データ作成処理Ｓ２３０の各ステップは、前述した例と同様であるため、その説明を省略する。
【０１０６】
本実施形態では、本発明の「元データ」の一例として画像ファイルを用い、本発明の「縮小データ」の一例として縮小画像ファイルを用いた例を示したが、これに限定されるものではない。本発明の「元データ」の他の例として、カメラ部１５が記録し、作成する動画ファイルを用い、本発明の「縮小データ」の一例として縮小動画ファイルを用いてもよい。また、本発明の「元データ」は、画像ファイル又は動画ファイルのいずれか一方に限定されるものではない。本発明の「元データ」は、画像ファイル及び動画ファイルの両方、つまり、画像ファイルと動画ファイルとの組合せであってもよい。また、本発明の「縮小データ」は、同様に、縮小画像ファイルと縮小動画ファイルとの組合せであってもよい。
【０１０７】
このように、本実施形態の携帯情報端末１０、データ管理システム１００、データ管理方法及びデータ管理によれば、画像ファイルと保存要求とがデータ管理サーバ５０に送信される。これにより、情報量の多い画像ファイルをデータ管理サーバ５０に保存することができる。また、データ管理サーバ５０から画像ファイルの保存完了応答を受信したときに、画像ファイルの所定画素数を減らした縮小画像ファイルが記憶部１３に記憶されるとともに、記憶された画像ファイルが記憶部１３から削除される。これにより、表示部１６に表示可能な情報量を維持しつつ、画像ファイルを記憶部１３に記憶する場合と比較して、使用される記憶部１３の記憶容量を低減することができる。従って、情報量の多い元データを利用することができるとともに、限られた記憶容量を効率的に使用することができる。
【０１０８】
以上説明した実施形態は、本発明の理解を容易にするためのものであり、本発明を限定して解釈するためのものではない。各実施形態が備える各要素並びにその配置、材料、条件、形状及びサイズ等は、例示したものに限定されるわけではなく適宜変更することができる。また、異なる実施形態で示した構成同士を部分的に置換し又は組み合わせることが可能である。
【符号の説明】
【０１０９】
１０，１０Ａ，１０Ｂ…携帯情報端末、１１ａ，１１ｂ…アンテナ、１２…通信部、１３…記憶部、１４…操作部、１５…カメラ部、１６…表示部、１７…制御部、１７ａ…保存要求部、１７ｂ…記憶管理部、１７ｃ…元データ縮小部、１７ｄ…表示要求部、１７ｅ…縮小データ要求部、１８…電源部、１９…バス、５０…データ管理サーバ、５１…通信部、５２…記憶部、５２ａ…利用者認証テーブル、５３…制御部、５３ａ…認証部、５３ｂ…元データ保存部、５３ｃ…元データ表示部、５３ｄ…縮小データ作成部、５４…バス、１００…データ管理システム、Ｎ１…通信網、Ｓ２１０…保存要求処理、Ｓ２２０…保存応答処理、Ｓ２３０…縮小データ作成処理
【図１】
2019114863.tif 000003
【図２】
2019114863.tif 000004
【図３】
2019114863.tif 000005
【図４】
2019114863.tif 000006
【図５】
2019114863.tif 000007
【図６】
2019114863.tif 000008
【図７】
2019114863.tif 000009
【手続補正書】
【提出日】平成31年4月12日(2019.4.12)
【手続補正１】
【補正対象書類名】特許請求の範囲
【補正対象項目名】全文
【補正方法】変更
【補正の内容】
【特許請求の範囲】
【請求項１】
データ管理サーバと、
通信網を介して前記データ管理サーバと通信可能な携帯情報端末と、を備え、
前記携帯情報端末は、
所定画素数を有する元データを記憶する記憶部と、
前記元データと保存要求とを前記データ管理サーバに送信する保存要求部と、
前記データ管理サーバから前記元データの保存完了応答を受信したときに、前記元データの前記所定画素数を減らした縮小データを前記記憶部に記憶させるとともに、記憶された前記元データを前記記憶部から削除する記憶管理部と、を備え、
前記携帯情報端末は、前記縮小データの作成要求を前記データ管理サーバに送信する縮小データ要求部をさらに備え、
前記データ管理サーバは、
前記保存要求に基づいて前記元データを保存する元データ保存部と、
前記作成要求に基づいて、保存された前記元データから前記縮小データを作成し、作成した前記縮小データを前記作成要求の要求元に送信する縮小データ作成部と、を備える、
データ管理システム。
【請求項２】
前記携帯情報端末は、前記記憶部に記憶された前記元データから前記縮小データを作成する元データ縮小部をさらに備える、
請求項１に記載のデータ管理システム。
【請求項３】
前記作成要求は、前記縮小データの指定画素数を含み、
前記縮小データ作成部は、保存された前記元データから前記指定画素数に応じた前記縮小データを作成する、
請求項１に記載のデータ管理システム。
【請求項４】
前記データ管理サーバは、利用者識別情報に基づいて利用者を認証する認証部をさらに備え、
前記元データ保存部は、認証された前記利用者に関連付けて前記元データを保存し、
前記縮小データ作成部は、前記作成要求に含まれる前記利用者識別情報に基づいて、認証された前記利用者に関連付けられた前記元データから前記縮小データを作成する、
請求項１又は３に記載のデータ管理システム。
【請求項５】
前記携帯情報端末は、表示部をさらに備え、
前記縮小データは、前記表示部の表示画素数に基づく画素数を有する、
請求項１から４のいずれか一項に記載のデータ管理システム。
【請求項６】
所定画素数を有する元データを携帯情報端末の記憶部に記憶させるステップと、
前記元データと保存要求とをデータ管理サーバに送信するステップと、
前記データ管理サーバから前記元データの保存完了応答を受信したときに、前記元データの前記所定画素数を減らした縮小データを前記記憶部に記憶させるとともに、記憶された前記元データを前記記憶部から削除するステップと、を含み、
前記縮小データの作成要求を前記データ管理サーバに送信するステップと、
前記保存要求に基づいて前記元データを前記データ管理サーバに保存するステップと、
前記作成要求に基づいて、保存された前記元データから前記縮小データを作成し、作成した前記縮小データを前記作成要求の要求元に送信するステップと、をさらに含む、
データ管理方法。
【請求項７】
前記記憶部に記憶された前記元データから前記縮小データを作成するステップをさらに含む、
請求項６に記載のデータ管理方法。
【請求項８】
前記作成要求は、前記縮小データの指定画素数を含み、
前記送信するステップは、保存された前記元データから前記指定画素数に応じた前記縮小データを作成することを含む、
請求項６に記載のデータ管理方法。
【請求項９】
利用者識別情報に基づいて利用者を認証するステップをさらに含み、
前記保存するステップは、認証された前記利用者に関連付けて前記元データを前記データ管理サーバに保存することを含み、
前記送信するステップは、前記作成要求に含まれる前記利用者識別情報に基づいて、認証された前記利用者に関連付けられた前記元データから前記縮小データを作成することを含む、
請求項６又は８に記載のデータ管理方法。
【請求項１０】
前記縮小データは、前記携帯情報端末の表示部の表示画素数に基づく画素数を有する、
請求項６から９のいずれか一項に記載のデータ管理方法。
【請求項１１】
コンピュータに実行させるデータ管理プログラムであって、
所定画素数を有する元データを携帯情報端末の記憶部に記憶させるステップと、
前記元データと保存要求とをデータ管理サーバに送信するステップと、
前記データ管理サーバから前記元データの保存完了応答を受信したときに、前記元データの前記所定画素数を減らした縮小データを前記記憶部に記憶させるとともに、記憶された前記元データを前記記憶部から削除するステップと、を含み、
前記縮小データの作成要求を前記データ管理サーバに送信するステップと、
前記保存要求に基づいて前記元データを前記データ管理サーバに保存するステップと、
前記作成要求に基づいて、保存された前記元データから前記縮小データを作成し、作成した前記縮小データを前記作成要求の要求元に送信するステップと、をさらに含む、
データ管理プログラム。